(57)【要約】【課題】複数の設置場所にそれぞれ設置される複数の紙幣計数装置について、その全体の使用頻度を管理できる紙幣計数システムを提供する。【解決手段】管理サーバー２３は、複数の設置場所ＴＢにそれぞれ設置された複数の紙幣計数装置１２から、当該紙幣計数装置１２を特定する装置識別子と、当該紙幣計数装置１２が設置された設置場所ＴＢを特定する場所識別子と、当該紙幣計数装置１２の計数データとを受信する。そして、各紙幣計数装置１２の使用頻度を、計数データを基にして、装置識別子および場所識別子と対応付けて、管理する。【選択図】図３
2018194895.tif 000002
【特許請求の範囲】
【請求項１】
複数の紙幣計数装置と、
前記複数の紙幣計数装置の計数動作を管理する管理サーバーと、
複数の設置場所にそれぞれ設置された前記紙幣計数装置と、前記管理サーバーとが、通信可能なように構成された、通信ネットワークとを備え、
前記管理サーバーは、
前記複数の紙幣計数装置からそれぞれ、当該紙幣計数装置を特定する装置識別子と、当該紙幣計数装置が設置された前記設置場所を特定する場所識別子と、当該紙幣計数装置の計数データとを受信し、
前記複数の紙幣計数装置の使用頻度を、前記計数データを基にして、前記装置識別子および前記場所識別子と対応付けて、管理する
紙幣計数システム。
【請求項２】
請求項１記載の紙幣計数システムにおいて、
前記管理サーバーは、
前記複数の紙幣計数装置の使用頻度を基にして、前記複数の紙幣計数装置の中から、入れ替え対象となる第１紙幣計数装置を特定する
ことを特徴とする紙幣計数システム。
【請求項３】
請求項２記載の紙幣計数システムにおいて、
前記管理サーバーは、
前記第１紙幣計数装置と入れ替える第２紙幣計数装置を、前記複数の紙幣計数装置のうち前記第１紙幣計数装置よりも使用頻度が低い紙幣計数装置の中から、特定し、
前記第１および第２紙幣計数装置を、入れ替えを行う組み合わせとして、報知する
ことを特徴とする紙幣計数システム。
【請求項４】
請求項３記載の紙幣計数システムにおいて、
前記管理サーバーは、前記第１および第２紙幣計数装置に、入れ替え対象である旨を示す第１信号を送信し、
前記複数の紙幣計数装置は、それぞれ、表示部を備えており、前記第１信号を受信すると、前記表示部を介して、当該紙幣計数装置が入れ替え対象である旨を示す報知を行う
ことを特徴とする紙幣計数システム。
【請求項５】
請求項３記載の紙幣計数システムにおいて、
前記管理サーバーは、
前記複数の紙幣計数装置から送信された前記装置識別子および前記場所識別子から、報知した組み合わせと異なる紙幣計数装置について入れ替えが行われたことを認識したとき、入れ替えに誤りがある旨を、報知する
ことを特徴とする紙幣計数システム。
【請求項６】
請求項１〜５のうちいずれか１項記載の紙幣計数システムにおいて、
前記設置場所は、カジノのテーブルである
ことを特徴とする紙幣計数システム。
【発明の詳細な説明】
【技術分野】
【０００１】
ここに開示する技術は、複数の紙幣計数装置を備えた紙幣計数システムに関する。
【背景技術】
【０００２】
近年、カジノにおいて、各テーブルに紙幣計数機を設置し、これら紙幣計数機の計数データを管理サーバーがネットワーク経由で取得し、集中管理するカジノマネジメントシステムが提案されている。
【０００３】
また、特許文献１では、ＲＦＩＤを使用可能なカジノ通過、ＲＦＩＤチップトレイ、紙幣検証部、ＲＦＩＤ読込部及びアンテナ、在庫システム及びチップ認証ネットワークを利用した、カジノにおける総合金銭管理システムを開示している。
【先行技術文献】
【特許文献】
【０００４】
【特許文献１】国際公開ＷＯ２０１３／１７７２８６号公報
【発明の概要】
【発明が解決しようとする課題】
【０００５】
カジノでは、各テーブルに設置された紙幣計数機の使用頻度は、テーブル毎の集客率に依存する。このため、各紙幣計数機の耐久故障の発生頻度は、当該紙幣計数機が設置されたテーブルによって、固定化されてしまう。すなわち、集客率の高いテーブルに設置された紙幣計数機は、使用頻度が高いため故障率が高くなり、一方、集客率の低いテーブルに設置された紙幣計数機は、使用頻度が低いため故障率が低くなる。ところが現状では、各テーブルに設置された複数の紙幣計数機の全体について、使用頻度を管理することは、なされていない。
【０００６】
また、上の問題は、カジノマネジメントシステム以外でも、複数の設置場所にそれぞれ設置される複数の紙幣計数装置を備えた紙幣計数システムにおいて、生じ得る問題である。
【０００７】
ここに開示する技術は、かかる点に鑑みてなされたものであり、複数の設置場所にそれぞれ設置される複数の紙幣計数装置について、その全体の使用頻度を管理できる紙幣計数システムを提供することを目的とする。
【課題を解決するための手段】
【０００８】
ここに開示する技術は、紙幣計数システムであって、複数の紙幣計数装置と、前記複数の紙幣計数装置の計数動作を管理する管理サーバーと、複数の設置場所にそれぞれ設置された前記紙幣計数装置と、前記管理サーバーとが、通信可能なように構成された、通信ネットワークとを備え、前記管理サーバーは、前記複数の紙幣計数装置からそれぞれ、当該紙幣計数装置を特定する装置識別子と、当該紙幣計数装置が設置された前記設置場所を特定する場所識別子と、当該紙幣計数装置の計数データとを受信し、前記複数の紙幣計数装置の使用頻度を、前記計数データを基にして、前記装置識別子および前記場所識別子と対応付けて、管理する。
【０００９】
この構成によると、管理サーバーは、複数の設置場所にそれぞれ設置された複数の紙幣計数装置から、当該紙幣計数装置を特定する装置識別子と、当該紙幣計数装置が設置された設置場所を特定する場所識別子と、当該紙幣計数装置の計数データとを受信する。そして、各紙幣計数装置の使用頻度を、計数データを基にして、装置識別子および場所識別子と対応付けて、管理する。すなわち、管理サーバーにより、各紙幣計数装置の使用頻度が、設置場所に対応付けて管理される。これにより、例えば、使用頻度に基づいて、紙幣計数装置の設置場所の入れ替えを行って故障頻度を平準化したり、使用頻度に基づいて、一部の紙幣計数装置を交換して、故障の大量発生を未然に防止したりする等の適切な対処を行うことができ、紙幣計数装置の安定動作を保つことができる。
【００１０】
そして、前記管理サーバーは、前記複数の紙幣計数装置の使用頻度を基にして、前記複数の紙幣計数装置の中から、入れ替え対象となる第１紙幣計数装置を特定するよう、構成されているのが好ましい。
【００１１】
これにより、入れ替えの対象となる紙幣計数装置が、使用頻度を基にして、自動的に特定される。
【００１２】
さらに、前記管理サーバーは、前記第１紙幣計数装置と入れ替える第２紙幣計数装置を、前記複数の紙幣計数装置のうち前記第１紙幣計数装置よりも使用頻度が低い紙幣計数装置の中から、特定し、前記第１および第２紙幣計数装置を、入れ替えを行う組み合わせとして、報知するよう、構成されているのが好ましい。
【００１３】
これにより、入れ替えを行う紙幣計数装置の組み合わせが、管理サーバーによって報知されるので、管理者はどの紙幣計数装置を入れ替えるかを検討することが不要になり、管理者の負担が低減される。
【００１４】
また、前記管理サーバーは、前記第１および第２紙幣計数装置に、入れ替え対象である旨を示す第１信号を送信し、前記複数の紙幣計数装置は、それぞれ、表示部を備えており、前記第１信号を受信すると、前記表示部を介して、当該紙幣計数装置が入れ替え対象である旨を示す報知を行うよう、構成されているのが好ましい。
【００１５】
これにより、入れ替えの対象となる紙幣計数装置自体の表示部を介して、当該紙幣計数装置が入れ替え対象である旨の報知が行われるので、入れ替え対象の紙幣計数装置の取り違えを防止することができる。
【００１６】
また、前記管理サーバーは、前記複数の紙幣計数装置から送信された前記装置識別子および前記場所識別子から、報知した組み合わせと異なる紙幣計数装置について入れ替えが行われたことを認識したとき、入れ替えに誤りがある旨を、報知するよう構成されているのが好ましい。
【００１７】
これにより、入れ替え対象の紙幣計数装置の取り違えがあったとき、管理サーバーによって報知されるので、管理者は、取り違えがあってもそれにすぐ気づくことができる。
【００１８】
また、上述した紙幣計数システムにおいて、前記設置場所は、カジノのテーブルである、としてもよい。
【発明の効果】
【００１９】
本開示によると、管理サーバーにより、各紙幣計数装置の使用頻度が設置場所に対応付けて管理されるので、故障に関して未然に適切な対処を行うことができ、紙幣計数装置の安定動作を保つことができる。
【図面の簡単な説明】
【００２０】
【図１】紙幣計数システムの一例であるカジノマネジメントシステムのシステム構成例
【図２】カジノテーブルの状態の例
【図３】実施形態における紙幣計数機の使用頻度管理のイメージ図
【図４】（ａ）〜（ｃ）は管理サーバーが管理する使用頻度データの変化の例
【図５】実施形態における動作例を示すフローチャート
【図６】（ａ）〜（ｃ）は実施形態における管理サーバーの画面例
【図７】紙幣計数機におけるローテーション誤り警告の表示の例
【図８】紙幣計数機の構成例
【図９】紙幣計数機の構成例
【発明を実施するための形態】
【００２１】
以下、実施の形態について、図面を参照して説明する。
【００２２】
図１は本開示に係る紙幣計数システムの一例であるカジノマネジメントシステムのシステム構成例、図２はカジノテーブルの状態の例を示す図である。図１の構成では、複数（図１の例では６個）のカジノテーブルＴＢが、ピットと呼ばれる単位で管理されている。各カジノテーブルＴＢには、ＩＣタグリーダー１１と、本開示における紙幣計数装置の一例である紙幣計数機１２とが設置されており、ＩＣタグリーダー１１および紙幣計数機１２は、通信ネットワークを介して、ピットサーバー２１に接続されている。ピットサーバー２１は、フロアサーバー２２を経由して、管理サーバー２３に接続されている。なお、紙幣計数機１２は、カジノテーブルＴＢから取り外し可能になっている。カジノテーブルＴＢに設置された紙幣計数機１２は、例えばカジノテーブルＴＢにあるケーブルコネクタと接続することによって、通信ネットワークを介して、管理サーバー２３と通信可能になる。また、紙幣計数機１２は、タッチパネル１２ｂを備えている。タッチパネル１２ｂは、計数動作に関するデータ等を表示する表示部として、また、紙幣計数機１２の操作や設定入力等を行う入力部として、機能する。
【００２３】
各カジノテーブルＴＢには、ディーラーＤＬが配置されている。ディーラーＤＬはそれぞれ、自己を特定するディーラー特定情報を少なくとも含むディーラー情報が記録されたＩＣタグ１４を有している。またピットには、複数のカジノテーブルＴＢを管理するピットマネージャーＰＭが配置されている。ピットマネージャーＰＭは、自己を特定する情報が記録されたＩＣタグ２５と、ハンディタイプのＩＣタグリーダー２６とを携帯している。
【００２４】
ディーラーＤＬは、ゲームを始める前に、ドロップボックスと呼ばれる紙幣収納箱ＢＸを、カジノテーブルＴＢの所定位置に設置する。カジノテーブルＴＢの天板には、紙幣の投入口１６が形成されており、投入口１６に投入された紙幣が紙幣収納箱ＢＸ内に溜まるようになっている。また、紙幣収納箱ＢＸにはそれぞれ、当該紙幣収納箱ＢＸを特定する箱特定情報を少なくとも含む箱情報が記録されたＩＣタグ１３が付されている。紙幣収納箱ＢＸがカジノテーブルＴＢに設置されたとき、ＩＣタグ１３がＩＣタグリーダー１１の近傍に位置するように構成されている。また、紙幣計数機１２は、別途、ＩＣタグリーダー１２ａを有している。ディーラーＤＬは、紙幣計数機１２を動作させる際に、そのＩＣタグリーダー１２ａに自分のＩＣタグ１４の情報を読み込ませる。管理サーバー２３は、通信ネットワークに接続された紙幣計数機１２について、計数動作を許可するか否かを制御可能であるものとする。
【００２５】
チップ両替時には、次のような運用がなされる。ディーラーＤＬは、客から紙幣を受け取る。ディーラーＤＬは、保有しているＩＣタグ１４を紙幣計数機１２のＩＣタグリーダー１２ａに認証させる。紙幣計数機１２は、ピットサーバー２１およびフロアサーバー２２を介して、管理サーバー２３に通信する。管理サーバー２３は、紙幣計数機１２を認識し、ディーラーＤＬのディーラー特定情報を受信し、さらに、カジノテーブルＴＢに設置されたＩＣタグリーダー１１から紙幣収納箱ＢＸの箱特定情報を受信する。その後、紙幣計数機１２の計数動作を許可する。例えば、管理サーバー２３がディーラーＤＬのディーラー特定情報を受信しないときは、計数動作が許可されない。このような制御によって、紙幣計数機１２の不要な計数動作を防ぐことが可能になる。
【００２６】
その後、ディーラーＤＬは、紙幣計数機１２を動作させて、客から受け取った紙幣を計数する。このときの計数データは、紙幣計数機１２からピットサーバー２１およびフロアサーバー２２を経由して、管理サーバー２３に送信される。計数が終わると、ディーラーＤＬは、計数結果に基づいて、チップを客に渡す。また、計数が完了した紙幣を、投入口１６から紙幣収納箱ＢＸに投入する。
【００２７】
（紙幣計数機の使用頻度の管理）
図３は実施形態における紙幣計数機１２の使用頻度管理のイメージ図である。図３では、３台の紙幣計数機１２（計数機１〜３）が、３台のカジノテーブルＴＢ（Ｔａｂｌｅ１〜３）に、それぞれ設置されているものとする。そして、カジノテーブルＴＢに設置された紙幣計数機１２は、管理サーバー２３と、通信ネットワーク１を介して通信可能になっている。各紙幣計数機１２は、自己の製造号機番号と、設置されたカジノテーブルＴＢのテーブル番号と、計数データとを、通信ネットワーク１を介して、管理サーバー２３に送信する。製造号機番号は、紙幣計数機１２を特定する装置識別子の一例である。テーブル番号は、紙幣計数機１２が設置された設置場所を特定する場所識別子の一例である。
【００２８】
管理サーバー２３は、各紙幣計数機１２の使用頻度を管理するためのデータベース（ＤＢ）２３１を備えている。管理サーバー２３は、各紙幣計数機１２からそれぞれ、製造号機番号と、テーブル番号と、計数データとを受信する。そして、各紙幣計数機１２の使用頻度を、受信した計数データを基にして、製造号機番号およびテーブル番号と対応付けて、データベース２３１で管理する。
【００２９】
図４はデータベース２３１に管理された使用頻度管理データの変化の例を示す。いま、デーバース２３１に、各紙幣計数機１２について、製造号機番号およびテーブル番号と対応付けて、その計数枚数の実績値が管理されているものとする（図４（ａ））。ここでは、計数枚数の実績値が、紙幣計数機１２の使用頻度を表すデータである。その後、各紙幣計数機１２は、計数動作を行う度に、計数データを管理サーバー２３に送信する。管理サーバー２３は、受信した計数データを基にして、データベース２３１における計数枚数の実績値を更新する。そして、ある紙幣計数機１２の計数枚数の実績値が例えば５００枚を超えたとき、管理サーバー２３１は、その紙幣計数機１２を、計数枚数の実績値が少ない他の紙幣計数機１２と入れ替えるよう、報知する（図４（ｂ））。ここでは、製造号機１００１の紙幣計数機１２の計数枚数が５００枚を超えたので、これを計数枚数が最も少ない製造号機１００３の紙幣計数機１２と入れ替えるものとする。この報知に従って、例えばカジノシステムの管理者が、製造号機１００１の紙幣計数機１２と、製造号機１００３の紙幣計数機１２とを入れ替える。管理サーバー２３は、各紙幣計数機１２から送信される製造号機番号およびテーブル番号を受信し、入れ替えが正常に行われたことを確認すると、データベース２３１における製造号機番号とテーブル番号との対応関係を更新する。そして、入れ替えた紙幣計数機１２の計数枚数の実績値をゼロにクリアする。このような入れ替えを行うことによって、紙幣計数機１２の故障頻度を平準化することができる。
【００３０】
図５は実施形態における動作例を示すフローチャートである。図５のフローにおいて、フロア側では、各ディーラーＤＬは、自分のカジノテーブルＴＢに設置された紙幣計数機１２の電源をオンにする。そして、当該紙幣計数機１２が設置されたカジノテーブルＴＢのテーブル番号を、例えばタッチパネル１２ｂを介して入力する（Ｓ１１）。紙幣計数機１２は、入力されたテーブル番号と、自己の製造号機番号とを、管理サーバー２３に送信する（Ｓ１２）。管理サーバー２３は、紙幣計数機１２から送信されたテーブル番号および製造号機番号を受信し、データベース２３１に登録する（Ｓ２１）。なお、受信したテーブル番号および製造号機番号が、データベース２３１にすでに登録されている場合は、新たな登録は必要ない。
【００３１】
その後、紙幣計数機１２は、カジノテーブルＴＢにおいて紙幣の計数動作を行う度に（Ｓ１３）、テーブル番号と計数データを管理サーバー２３に送信する（Ｓ１４）。管理サーバー２３は、紙幣計数機１２から送信されたテーブル番号および計数データを受信し、受信した計数データを基にして、データベース２３１を更新する（Ｓ２２）。図４の例では、計数枚数の実績値に、受信した計数データが示す計数枚数を加算する。そして、管理サーバー２３は、データベース２３１に管理された使用頻度データが所定条件を満たす紙幣計数機１２が存在するか否かを判断する（Ｓ２３）。図４の例では、所定条件は、計数枚数の実績値が５００枚を超えることである。そして、所定条件を満たす紙幣計数機１２が存在するとき（Ｓ２３でＹＥＳ）、管理サーバー２３は、当該紙幣計数機１２に関して、ローテーション警告の表示を行う（Ｓ２４）。具体的には、所定条件を満たす紙幣計数機１２と、当該紙幣計数機１２よりも使用頻度が低い紙幣計数機１２とを、入れ替える旨の警告が、表示される。
【００３２】
図６は管理サーバー２３の画面例である。図６（ａ）は管理サーバー２３の待機画面の例であり、画面左横にメニューボタンが並んでいる。メニューボタンには、ローテーション警告ボタンＢ１と、計数機状態表示ボタンＢ２とが含まれている。図６（ａ）の待機画面で、例えば管理者がボタンＢ２を押下すると、図６（ｂ）のような計数機状態表示画面が表示される。この画面で、図５のＳ２３でＹＥＳのときすなわち所定条件を満たす紙幣計数機１２が存在するとき、ローテーション警告ボタンＢ３が画面に表示される。一方、図５のＳ２３でＮＯのときすなわち所定条件を満たす紙幣計数機１２が存在しないときは、ローテーション警告ボタンＢ３は画面に表示されない。
【００３３】
管理者がボタンＢ３を押下すると、図６（ｃ）のようなローテーション警告画面が表示される。このローテーション警告画面では、入れ替えを行うべき紙幣計数機１２の組合せが表示される。またここでは、図６（ａ）の待機画面でボタンＢ１を押下すると、直接、図６（ｃ）のローテーション警告画面に遷移するものとしている。
【００３４】
管理サーバー２３からローテーション警告を受けた管理者２は、フロア側に移動し、紙幣計数機１２の入れ替えを行う（Ｓ１５）。なお、管理者２は、自らが紙幣計数機１２の入れ替えを行う代わりに、フロア側のピットマネージャーＰＭ等に入れ替えの指示を出してもよい。入れ替えを行った後、管理者２等は、紙幣計数機１２の電源をオンにする。そして、当該紙幣計数機１２が新たに設置されたカジノテーブルＴＢのテーブル番号を、例えば、タッチパネル１２ｂを介して入力する（Ｓ１６）。紙幣計数機１２は、入力されたテーブル番号と、自己の製造号機番号とを、管理サーバー２３に送信する（Ｓ１７）。管理サーバー２３は、紙幣計数機１２から送信されたテーブル番号および製造号機番号を受信し（Ｓ２５）、受信したテーブル番号および製造号機番号を基にして、紙幣計数機１２の入れ替えが正しく行われたか否かを確認する（Ｓ２６）。ローテーションＯＫすなわち入れ替えが正しく行われたときは（Ｓ２７でＹＥＳ）、管理サーバー２３は、図６（ｃ）のローテーション警告画面から入れ替えが行われた紙幣計数機１２の表示を消去し、送信されたテーブル番号および製造号機番号をデータベース２３１に登録する（Ｓ２８）。一方、入れ替えが正しく行われなかったときは（Ｓ２７でＮＯ）、ローテーション誤りを警告する（Ｓ２９）。例えば、図６（ｃ）に示すように、ローテーション警告画面において「入替え計数機が間違えています。」といったメッセージを表示する。
【００３５】
このように本実施形態によると、管理サーバー２３は、複数のカジノテーブルＴＢにそれぞれ設置された複数の紙幣計数機１２から、当該紙幣計数機１２の製造号機番号と、当該紙幣計数機１２が設置されたカジノテーブルＴＢのテーブル番号と、当該紙幣計数機１２の計数データとを受信する。そして、各紙幣計数機１２の使用頻度としての計数枚数の実績値を、計数データを基にして、製造号機およびテーブル番号と対応付けて、管理する。すなわち、管理サーバー２３により、各紙幣計数機１２の使用頻度が、カジノテーブルＴＢに対応付けて管理される。これにより、例えば、使用頻度に基づいて、紙幣計数機１２の入れ替えを行って故障頻度を平準化する等の適切な対処を行うことができ、紙幣計数機１２の安定動作を保つことができる。そして、紙幣計数機１２の耐久面での故障率が下がることによって、カジノ運用側は、機器コストを抑えることができる。
【００３６】
また、本実施形態では、入れ替えの対象となる紙幣計数機１２が、使用頻度を基にして自動的に特定され、また、入れ替えを行う紙幣計数機１２の組み合わせが、管理サーバー２３によって報知される。これにより、管理者はどの紙幣計数機１２を入れ替えるかを検討することが不要になり、管理者の負担が低減される。さらに、入れ替え対象の紙幣計数機１２の取り違えがあったとき、管理サーバー２３によって報知されるので、管理者は、取り違えがあってもそれにすぐ気づくことができる。
【００３７】
（変形例）
上の実施形態では、紙幣計数機１２の計数枚数の実績値が５００枚を超えたとき、紙幣計数機１２の入れ替えを行うよう警告するものとした。ただし、本開示はこれに限られるものではなく、警告する判断の閾値は５００枚以外の枚数であってもよい。また、他にも例えば、紙幣の種類毎に計数枚数の実績値を管理するようにし、特定種類の紙幣の計数枚数が所定枚数を超えたとき、入れ替えを警告するようにしてもよい。あるいは、紙幣計数機１２の型や年数等に応じて、警告する判断の閾値を変えてもよい。
【００３８】
また、上の実施形態では、紙幣計数機１２の使用頻度を、紙幣の計数枚数を基にして管理するものとした。ただし、本開示はこれに限られるものではなく、この他にも例えば、紙幣計数機１２が設置されている期間や、計数動作を行った回数等のデータを用いて、使用頻度を管理してもよい。あるいは、紙幣計数機１２のリジェクト率のデータを用いて、使用頻度を管理してもよい。
【００３９】
また、上の実施形態では、紙幣計数機１２の入れ替えを行うよう警告するものとしたが、これに代えて、あるいは、これとともに、紙幣計数機１２の買い換えを行うよう警告してもよい。例えば、紙幣計数機１２の計数枚数の実績値が所定枚数を超えたとき、紙幣計数機１２の入れ替えを行うよう警告するとともに、紙幣計数機１２の設置期間が所定年数を超えたとき、紙幣計数機１２の買い替えを行うよう警告するようにしてもよい。
【００４０】
また、上の実施形態では、計数枚数の実績値が所定枚数を超えた紙幣計数機１２と入れ替える相手として、単に、計数枚数の実績値が少ない紙幣計数機１２を選択するものとした。ただし、本開示はこれに限られるものではなく、例えば、その時点で計数枚数の累積値が最も少ない紙幣計数機１２を選択するようにしてもよい。あるいは、入れ替える紙幣計数機１２から所定距離以内に設置された紙幣計数機１２の中から、選択するようにしてもよい。
【００４１】
また、上の実施形態では、ローテーション警告を、管理サーバー２３の画面に表示するものとしたが、本開示はこれに限られるものではない。この他にも例えば、管理サーバー２３が音声によって、ローテーション警告を発してもよい。あるいは、入れ替えの対象となる紙幣計数機１２の側において、ローテーション警告を行うようにしてもよい。すなわち、管理サーバー２３は、入れ替えの対象となる紙幣計数機１２に、入れ替え対象である旨を示す信号を送信する。この信号を受信した紙幣計数機１２は、例えば、タッチパネル１２ｂに、自己が入れ替え対象である旨の表示を行えばよい。さらに、入れ替えを行う組み合わせを構成する２台の紙幣計数機１２について、タッチパネル１２ｂの画面色を、同じ色（例えば赤色）に変更するようにしてもよい。
【００４２】
また、上の実施形態では、ローテーション誤りの警告を、管理サーバー２３の画面に表示するものとしたが、本開示はこれに限られるものではない。例えば、誤った入れ替えが行われた紙幣計数機１２の側において、ローテーション誤りの警告を行うようにしてもよい。例えば図７に示すように、紙幣計数機１２は、例えばタッチパネル１２ｂに、自己が誤って入れ替えられた旨の表示を行えばよい。
【００４３】
（他の実施形態）
上の実施形態では、カジノテーブルＴＢに設置される紙幣計数機１２を管理するカジノマネジメントシステムを例にとって説明を行った。ただし、本開示における紙幣計数システムは、上述したようなカジノマネジメントシステムに限られるものではなく、複数の紙幣計数装置と、これら紙幣計数装置の計数動作を管理する管理サーバーとを備え、複数の設置場所にそれぞれ設置された紙幣計数装置と管理サーバーとが通信ネットワークを介して通信可能なように構成されたシステムであれば、本開示内容は適用可能である。例えば、複数の遊技台が配置された遊技場において、遊技台同士の間に設置された複数の台間サンドについて、上の実施形態で示したような使用頻度の管理を実施してもよい。
【００４４】
（紙幣計数機の構成例）
図８は紙幣計数機１２の構成例を示す図であり、紙幣集積部周辺の内部構成を示す平面図である。図８において、サツオトシゴム４０は、４本のゴム４１ａ，４１ｂ，４２ａ，４２ｂを有しており、紙面と垂直方向の軸を中心にして回転することによって、紙幣を叩いて安定して集積させる。ゴム４２ａ，４２ｂはゴム４１ａ，４１ｂよりも長さが短い。円Ｃ１はゴム４１ａ，４１ｂの端部が通る軌道であり、円Ｃ２はゴム４２ａ，４２ｂの端部が通る軌道である。長いゴム４１ａ，４１ｂがあることによって、短い紙幣であっても叩くことができ、集積が安定する。また、長いゴム４１ａ，４１ｂと短いゴム４２ａ，４２ｂが交互に設けられているため、サツオトシゴム４０が回転する際にゴム同士の重なりが低減し、引っかかりを防ぐことができる。
【００４５】
図９は紙幣計数機１２の構成例を示す図であり、ホッパ部周辺の構成を示す斜視図である。図９において、ホッパ部には、紙幣ＢＬの広がりを抑えるためのガイド部５１が、紙幣ＢＬの両側に設けられている。このガイド部５１により、繰り出し時の挙動による紙幣ＢＬの広がりが抑えられ、紙幣ＢＬの脱落が防止される。また、紙幣ＢＬの高さを規制する小径軸のガイド５２が、設けられている。このガイド５２により、繰り出し時の挙動による紙幣ＢＬの斜行が抑えられるので、リジェクトが低減され、ジャムが防止される。
【符号の説明】
【００４６】
１  通信ネットワーク
１２  紙幣計数機（紙幣計数装置）
１２ｂ  タッチパネル（表示部）
２３  管理サーバー
ＴＢ  カジノテーブル（設置場所）
【図１】
2018194895.tif 000003
【図２】
2018194895.tif 000004
【図３】
2018194895.tif 000005
【図４】
2018194895.tif 000006
【図５】
2018194895.tif 000007
【図６】
2018194895.tif 000008
【図７】
2018194895.tif 000009
【図８】
2018194895.tif 000010
【図９】
2018194895.tif 000011